(57)【特許請求の範囲】
【請求項１】
上部に易開封手段を有する段差カット可能な包装袋において、
表面側の上記易開封手段は、上記包装袋の左右外縁から左右の上変曲部まで下り傾斜に形成された下向傾斜切目線と、上記両上変曲部から中央部が上方に膨れる凸状切目線とから構成される上部切目線と、
上記上部切目線の下側において、上記包装袋の左右外縁から左右の下変曲部まで上り傾斜に形成された上向傾斜切目線と、上記両下変曲部から中央部が下方に膨れる凹状切目線とからなり、上記上部切目線とは接触しない下部切目線により構成され、
上記包装袋の左右外縁における上記下向傾斜切目線と上記上向傾斜切目線の中間に切込部が各々形成され、
上記左右の切込部に近接して小直線状誘導切目線が設けられ、上記両小直線状誘導切目線は、上記切込部から内側水平方向の仮想延長線に交差する方向に同一傾斜方向で形成されており、左側の上記小直線状誘導切目線はその内側端部が上記上向傾斜切目線に向かい、右側の上記小直線状誘導切目線はその内側端部が上記下向傾斜切目線に向かうように形成され、
かつ上記左側の上下変曲部より内側の上記上部切目線と上記下部切目線の中間部から始まり、一端が上記下部切目線の上記凹状切目線に接続された下り傾斜の下向誘導切目線が設けられ、上記右側の上下変曲部より内側の上記上部切目線と上記下部切目線の中間部から始まり、一端が上記上部切目線の上記凸状切目線に接続された上り傾斜の上向誘導切目線が設けられ、
裏面側の上記易開封手段は、上記上部切目線と上記下部切目線の間に位置する直線状の上部裏面側切目線と下部裏面側切目線とから構成され、
上記上部裏面側切目線の一端の裏面側変曲部には、一方の上記切込部より下側位置の上記包装袋の外縁から上記一端の裏面側変曲部まで上り傾斜に形成された裏面側上向傾斜切目線が接続され、
上記下部裏面側切目線の一端の裏面側変曲部には、他方の上記切込部より上側位置の上記包装袋の外縁から上記一端の裏面側変曲部まで下り傾斜に形成された裏面側下向傾斜切目線が接続され、
上記左右の切込部に近接して裏面側小直線状誘導切目線が、各内側端部が上記裏面側上向傾斜切目線及び上記裏面側下向傾斜切目線に向かうよう各々設けられ、
上記裏面側上向傾斜切目線と上記裏面側下向傾斜切目線は、表面側の上記上向傾斜切目線と上記下向傾斜切目線に形成位置が表裏で一致又は略一致しているものである段差カット可能な包装袋。
【請求項２】
上記下向誘導切目線の上記一端は、上記包装袋の中央より左側の位置にて上記凹状切目線に接続されており、上記上向誘導切目線の上記一端は、上記包装袋の中央より右側の位置にて上記凸状切目線に接続されているものである請求項１記載の段差カット可能な包装袋。
【請求項３】
上記下向誘導切目線と上記上向誘導切目線の各他端は、上記切込部から内側水平方向の仮想延長線に接する位置又は上記仮想延長線に近接する位置又は上記仮想延長線に交差する位置の何れかの位置から始まっているものである請求項１又は２に記載の段差カット可能な包装袋。
【請求項４】
上部に易開封手段を有する段差カット可能な包装袋において、
表面側の上記易開封手段は、上記包装袋の左右外縁から左右の上変曲部まで下り傾斜に形成された下向傾斜切目線と、上記両上変曲部から中央部が上方に膨れる凸状切目線とから構成される上部切目線と、
上記上部切目線の下側において、上記包装袋の左右外縁から左右の下変曲部まで上り傾斜に形成された上向傾斜切目線と、上記両下変曲部から中央部が下方に膨れる凹状切目線とからなり、上記上部切目線とは接触しない下部切目線により構成され、
上記包装袋の左右外縁における上記下向傾斜切目線と上記上向傾斜切目線の中間に切込部が各々形成され、
上記左右の切込部に近接して小直線状誘導切目線が設けられ、上記両小直線状誘導切目線は、上記切込部から内側水平方向の仮想延長線に交差する方向に同一傾斜方向で形成されており、左側の上記小直線状誘導切目線はその内側端部が上記上向傾斜切目線に向かい、右側の上記小直線状誘導切目線はその内側端部が上記下向傾斜切目線に向かうように形成され、
かつ上記左側の上下変曲部より内側の上記上部切目線と上記下部切目線の中間部から始まり、一端が上記上部切目線の上記凸状切目線に接続された上り傾斜の上向誘導切目線が設けられ、上記右側の上下変曲部より内側の上記上部切目線と上記下部切目線の中間部から始まり、一端が上記下部切目線の上記凹状切目線に接続された下り傾斜の下向誘導切目線が設けられ、
裏面側の上記易開封手段は、上記上部切目線と上記下部切目線の間に位置する直線状の上部裏面側切目線と下部裏面側切目線とから構成され、
上記上部裏面側切目線の一端の裏面側変曲部には、一方の上記切込部より下側位置の上記包装袋の外縁から上記一端の裏面側変曲部まで上り傾斜に形成された裏面側上向傾斜切目線が接続され、
上記下部裏面側切目線の一端の裏面側変曲部には、他方の上記切込部より上側位置の上記包装袋の外縁から上記一端の裏面側変曲部まで下り傾斜に形成された裏面側下向傾斜切目線が接続され、
上記左右の切込部に近接して裏面側小直線状誘導切目線が、各内側端部が上記裏面側上向傾斜切目線及び上記裏面側下向傾斜切目線に向かうよう各々設けられ、
上記裏面側上向傾斜切目線と上記裏面側下向傾斜切目線は、表面側の上記上向傾斜切目線と上記下向傾斜切目線に形成位置が表裏で一致又は略一致しているものである段差カット可能な包装袋。
【請求項５】
上記上向誘導切目線の上記一端は、上記包装袋の中央より左側の位置にて上記凸状切目線に接続されており、上記下向誘導切目線の上記一端は、上記包装袋の中央より右側の位置にて上記凹状切目線に接続されているものである請求項４記載の段差カット可能な包装袋。
【請求項６】
上記上向誘導切目線と上記下向誘導切目線の各他端は、上記切込部から内側水平方向の仮想延長線に接する位置又は上記仮想延長線に近接する位置又は上記仮想延長線に交差する位置の何れかの位置から始まっているものである請求項４又は５に記載の段差カット可能な包装袋。
【請求項７】
上記裏面側の上記易開封手段において、上記両裏面側小直線状誘導切目線は、上記切込部から上記仮想延長線に交差する方向に同一傾斜方向で形成されており、左側の上記裏面側小直線状誘導切目線はその内側端部が上記裏面側上向傾斜切目線に向かい、右側の上記裏面側小直線状誘導切目線はその内側端部が上記裏面側下向傾斜切目線に向かうように形成されたものである請求項１〜６の何れかに記載の段差カット可能な包装袋。
【請求項８】
上記裏面側の上記易開封手段において、上記上部裏面側切目線の他端は、上記裏面側下向傾斜切目線に接触しておらず、上記他端の延長線上に上記裏面側下向傾斜切目線が位置するように形成され、
上記下部裏面側切目線の他端は、上記裏面側上向傾斜切目線に接触しておらず、上記他端の延長線上に上記裏面側上向傾斜切目線が位置するように形成されたものである請求項１〜７の何れかに記載の段差カット可能な包装袋。
【請求項９】
表面側の上記両小直線状誘導切目線と、裏面側の上記両裏面側小直線状誘導切目線は、形成位置又は形成方向が表裏で一致又は略一致しているものである請求項１〜８の何れかに記載の段差カット可能な包装袋。
【請求項１０】
上記包装袋の易開封手段の下側に再封手段が形成された請求項１〜９の何れか記載の段差カット可能な包装袋。
【発明の詳細な説明】
【技術分野】
【０００１】
本発明は、包装袋の例えば上方位置等の易開封手段において、開封部に段差を生じさせる切目線を設けた段差カット可能な包装袋に関する。
【背景技術】
【０００２】
従来、この種の包装袋において、表面側に互いに接触しない上に凸の上部切目線と下に凸の下部切目線を設け、左右の変曲点に横向きＶ字状の誘導切目線を設け、裏面側に２本の直線状の切目線を設け、上部切目線と下部切目線の両端部の包装袋の両縁部に切込部を設け、例えば、包装袋の左縁部側から手前側に引いて開封する場合において、円滑に開封すると共に、段差を形成し得る包装袋が開示されている（特許文献１，２）。
【先行技術文献】
【特許文献】
【０００３】
【特許文献１】特許第５９４１６０４号公報
【特許文献２】特許第６０８７０１４号公報
【発明の概要】
【発明が解決しようとする課題】
【０００４】
ところで、特許文献１，２の包装袋は、上述のように上端部を手前側に引いた場合に、開封部に一定の段差を形成することができるのであるが、稀に、力の方向等の加減で、切込部からの切断線が切目線の方向に移行せず、或いは、途中の切目線から離脱し、適切な段差が形成されないケースが若干見受けられた。
【０００５】
本発明者は、上記従来の課題に鑑みて、鋭意研究を続け、上記切込部からの切断線を切目線に適切に誘導することで、開封部により確実に段差を生じさせる段差カット可能な包装袋を提供することを目的とする。
【０００６】
本発明は、左右何れの方向から開封しても、開封部により確実に段差を生じさせる段差カット可能な包装袋を提供することを目的とする。
【課題を解決するための手段】
【０００７】
上記の目的を達成するため本発明は、
第１に、上部に易開封手段を有する段差カット可能な包装袋において、表面側の上記易開封手段は、上記包装袋の左右外縁から左右の上変曲部まで下り傾斜に形成された下向傾斜切目線と、上記両上変曲部から中央部が上方に膨れる凸状切目線とから構成される上部切目線と、上記上部切目線の下側において、上記包装袋の左右外縁から左右の下変曲部まで上り傾斜に形成された上向傾斜切目線と、上記両下変曲部から中央部が下方に膨れる凹状切目線とからなり、上記上部切目線とは接触しない下部切目線により構成され、上記包装袋の左右外縁における上記下向傾斜切目線と上記上向傾斜切目線の中間に切込部が各々形成され、上記左右の切込部に近接して小直線状誘導切目線が設けられ、上記両小直線状誘導切目線は、上記切込部から内側水平方向の仮想延長線に交差する方向に同一傾斜方向で形成されており、左側の上記小直線状誘導切目線はその内側端部が上記上向傾斜切目線に向かい、右側の上記小直線状誘導切目線はその内側端部が上記下向傾斜切目線に向かうように形成され、かつ上記左側の上下変曲部より内側の上記上部切目線と上記下部切目線の中間部から始まり、一端が上記下部切目線の上記凹状切目線に接続された下り傾斜の下向誘導切目線が設けられ、上記右側の上下変曲部より内側の上記上部切目線と上記下部切目線の中間部から始まり、一端が上記上部切目線の上記凸状切目線に接続された上り傾斜の上向誘導切目線が設けられ、裏面側の上記易開封手段は、上記上部切目線と上記下部切目線の間に位置する直線状の上部裏面側切目線と下部裏面側切目線とから構成され、上記上部裏面側切目線の一端の裏面側変曲部には、一方の上記切込部より下側位置の上記包装袋の外縁から上記一端の裏面側変曲部まで上り傾斜に形成された裏面側上向傾斜切目線が接続され、上記下部裏面側切目線の一端の裏面側変曲部には、他方の上記切込部より上側位置の上記包装袋の外縁から上記一端の裏面側変曲部まで下り傾斜に形成された裏面側下向傾斜切目線が接続され、上記左右の切込部に近接して裏面側小直線状誘導切目線が、各内側端部が上記裏面側上向傾斜切目線及び上記裏面側下向傾斜切目線に向かうよう各々設けられ、上記裏面側上向傾斜切目線と上記裏面側下向傾斜切目線は、表面側の上記上向傾斜切目線と上記下向傾斜切目線に形成位置が表裏で一致又は略一致しているものである段差カット可能な包装袋により構成される。
【０００８】
上記表面側とは、例えば表面側積層フィルム（２）をいう。上記裏面側とは、例えば裏面側積層フィルム（３）をいう。上記小直線状誘導切目線は、小直線状の誘導切目線（２２ａ，２２ｂ）により構成することができる。上記小直線状誘導切目線の各内側端部は、小直線状誘導切目線（２２ａ，２２ｂ）の各内側端部（２２ａ’，２２ｂ’）により構成することができる。上記切込部は例えばＩノッチ（２１，２１）により構成することができる。上記裏面側上向傾斜切目線と上記裏面側下向傾斜切目線が、表面側の上記上向傾斜切目線と上記下向傾斜切目線に形成位置が表裏で略一致とは、形成位置が表面と裏面で多少のずれがある場合をいう。このように構成すると、例えば、易開封手段の上側の上辺部の左端を把持して手前側に引くと、表面側は、切込部からの切断線が小直線状誘導切目線に達し、切断線は、上記小直線状誘導切目線の内側端部から上向傾斜切目線に誘導されるため、表面側を下部切目線に沿って開封することができ、裏面側は、表面側の上記上向傾斜切目線と形成位置が表裏で一致又は略一致する裏面側上向傾斜切目線が形成されているので、同様に切断線が、裏面側小直線状誘導切目線から、上記裏面側上向傾斜切目線に達し、上部裏面側切目線に沿って開封することができ、結果として、表面側が下部切目線に沿って開封され、裏面側が上部裏面側切目線に沿って開封され、開封部に確実に段差を形成することができる。このとき、表面側において、切断線が小直線状誘導切目線に合流せずに、右側に切断されたとしても、下向誘導切目線によって切断線を下部切目線に誘導することができるため、開封部に確実に段差を形成することができる。逆に、例えば、易開封手段の上側の上辺部の右端を把持して手前に引くと、表面側は、切込部からの切断線が小直線状誘導切目線に達し、切断線は、上記小直線状誘導切目線の内側端部から下向傾斜切目線に誘導されるため、表面側が上部切目線に沿って開封することができ、裏面側は、表面側の上記上向傾斜切目線と形成位置が表裏で一致又は略一致する裏面側下向傾斜切目線が形成されているので、切断線が裏面側小直線状誘導切目線から、上記裏面側下向傾斜切目線に達し、下部裏面側切目線に沿って開封することができ、結果として、表面側が上部切目線に沿って開封され、裏面側が下部裏面側切目線に沿って開封され、開封部に確実に段差を形成することができる。このとき、表面側において、切断線が小直線状誘導切目線に合流せずに、左側に切断されたとしても、上向誘導切目線によって切断線を上部切目線に誘導することができるため、開封部に確実に段差を形成することができる。
【０００９】
第２に、上記下向誘導切目線の上記一端は、上記包装袋の中央より左側の位置にて上記凹状切目線に接続されており、上記上向誘導切目線の上記一端は、上記包装袋の中央より右側の位置にて上記凸状切目線に接続されているものである上記第１記載の段差カット可能な包装袋により構成される。
【００１０】
このように構成すると、例えば、包装袋の上辺部の左端を手前側に引いて開封する場合も、包装袋の上辺部の右側を手前側に引いて開封する場合も、切断線が、表面側の小直線状誘導切目線からずれた場合に、下向誘導切目線又は上向誘導切目線によって、切断線を迅速に、凹状切目線又は凸状切目線に誘導し得るため、小直線状誘導切目線からずれた場合でも確実に段差を形成し得る。
【００１１】
第３に、上記下向誘導切目線と上記上向誘導切目線の各他端は、上記切込部から内側水平方向の仮想延長線に接する位置又は上記仮想延長線に近接する位置又は上記仮想延長線に交差する位置の何れかの位置から始まっているものである上記第１又は２に記載の段差カット可能な包装袋により構成される。
【００１２】
このように構成すると、仮に、小直線状誘導切目線により切断線をうまく誘導できず、切断線が小直線状誘導切目線より内側に、仮想延長線に沿って形成された場合において、切断線を下向誘導切目線又は上向誘導切目線の各他端の近傍より確実に凹状切目線又は凸状切目線に誘導することができる。
【００１３】
第４に、上部に易開封手段を有する段差カット可能な包装袋において、表面側の上記易開封手段は、上記包装袋の左右外縁から左右の上変曲部まで下り傾斜に形成された下向傾斜切目線と、上記両上変曲部から中央部が上方に膨れる凸状切目線とから構成される上部切目線と、上記上部切目線の下側において、上記包装袋の左右外縁から左右の下変曲部まで上り傾斜に形成された上向傾斜切目線と、上記両下変曲部から中央部が下方に膨れる凹状切目線とからなり、上記上部切目線とは接触しない下部切目線により構成され、上記包装袋の左右外縁における上記下向傾斜切目線と上記上向傾斜切目線の中間に切込部が各々形成され、上記左右の切込部に近接して小直線状誘導切目線が設けられ、上記両小直線状誘導切目線は、上記切込部から内側水平方向の仮想延長線に交差する方向に同一傾斜方向で形成されており、左側の上記小直線状誘導切目線はその内側端部が上記上向傾斜切目線に向かい、右側の上記小直線状誘導切目線はその内側端部が上記下向傾斜切目線に向かうように形成され、かつ上記左側の上下変曲部より内側の上記上部切目線と上記下部切目線の中間部から始まり、一端が上記上部切目線の上記凸状切目線に接続された上り傾斜の上向誘導切目線が設けられ、上記右側の上下変曲部より内側の上記上部切目線と上記下部切目線の中間部から始まり、一端が上記下部切目線の上記凹状切目線に接続された下り傾斜の下向誘導切目線が設けられ、裏面側の上記易開封手段は、上記上部切目線と上記下部切目線の間に位置する直線状の上部裏面側切目線と下部裏面側切目線とから構成され、上記上部裏面側切目線の一端の裏面側変曲部には、一方の上記切込部より下側位置の上記包装袋の外縁から上記一端の裏面側変曲部まで上り傾斜に形成された裏面側上向傾斜切目線が接続され、上記下部裏面側切目線の一端の裏面側変曲部には、他方の上記切込部より上側位置の上記包装袋の外縁から上記一端の裏面側変曲部まで下り傾斜に形成された裏面側下向傾斜切目線が接続され、上記左右の切込部に近接して裏面側小直線状誘導切目線が、各内側端部が上記裏面側上向傾斜切目線及び上記裏面側下向傾斜切目線に向かうよう各々設けられ、上記裏面側上向傾斜切目線と上記裏面側下向傾斜切目線は、表面側の上記上向傾斜切目線と上記下向傾斜切目線に形成位置が表裏で一致又は略一致しているものである段差カット可能な包装袋により構成される。
【００１４】
上記表面側とは、例えば表面側積層フィルム（２）をいう。上記裏面側とは、例えば裏面側積層フィルム（３）をいう。上記小直線状誘導切目線は、小直線状の誘導切目線（２２ａ，２２ｂ）により構成することができる。上記小直線状誘導切目線の各内側端部は、小直線状誘導切目線（２２ａ，２２ｂ）の各内側端部（２２ａ’，２２ｂ’）により構成することができる。上記切込部は例えばＩノッチ（２１，２１）により構成することができる。上記裏面側上向傾斜切目線と上記裏面側下向傾斜切目線が、表面側の上記上向傾斜切目線と上記下向傾斜切目線に形成位置が表裏で略一致とは、形成位置が表面と裏面で多少のずれがある場合をいう。このように構成すると、例えば、易開封手段の上側の上辺部の左端を把持して手前側に引くと、表面側は、切込部からの切断線が小直線状誘導切目線に達し、切断線は、上記小直線状誘導切目線の内側端部から上向傾斜切目線に誘導されるため、表面側を下部切目線に沿って開封することができ、裏面側は、表面側の上記上向傾斜切目線と形成位置が表裏で一致又は略一致する裏面側上向傾斜切目線が形成されているので、同様に切断線が、裏面側小直線状誘導切目線から、上記裏面側上向傾斜切目線に達し、上部裏面側切目線に沿って開封することができ、結果として、表面側が下部切目線に沿って開封され、裏面側が上部裏面側切目線に沿って開封され、開封部に確実に段差を形成することができる。このとき、表面側において、切断線が小直線状誘導切目線に合流せずに、右側に切断されたとしても、上向誘導切目線によって切断線を上部切目線に誘導することができるため、開封部に確実に段差を形成することができる。逆に、例えば、易開封手段の上側の上辺部の右端を把持して手前に引くと、表面側は、切込部からの切断線が小直線状誘導切目線に達し、切断線は、上記小直線状誘導切目線の内側端部から下向傾斜切目線に誘導されるため、表面側が上部切目線に沿って開封することができ、裏面側は、表面側の上記上向傾斜切目線と形成位置が表裏で一致又は略一致する裏面側下向傾斜切目線が形成されているので、切断線が裏面側小直線状誘導切目線から、上記裏面側下向傾斜切目線に達し、下部裏面側切目線に沿って開封することができ、結果として、表面側が上部切目線に沿って開封され、裏面側が裏面側下部切目線に沿って開封され、開封部に確実に段差を形成することができる。このとき、表面側において、切断線が小直線状誘導切目線に合流せずに、左側に切断されたとしても、下向誘導切目線によって切断線を下部切目線に誘導することができるため、開封部に確実に段差を形成することができる。
【００１５】
第５に、上記上向誘導切目線の上記一端は、上記包装袋の中央より左側の位置にて上記凸状切目線に接続されており、上記下向誘導切目線の上記一端は、上記包装袋の中央より右側の位置にて上記凹状切目線に接続されているものである上記第４記載の段差カット可能な包装袋により構成される。
【００１６】
このように構成すると、例えば、包装袋の上辺部の左端を手前側に引いて開封する場合も、包装袋の上辺部の右側を手前側に引いて開封する場合も、切断線が、表面側の小直線状誘導切目線からずれた場合に、上向誘導切目線又は下向誘導切目線によって、切断線を迅速に、凸状切目線又は凹状切目線に誘導し得るため、小直線状誘導切目線からずれた場合でも確実に段差を形成し得る。
【００１７】
第６に、上記上向誘導切目線と上記下向誘導切目線の各他端は、上記切込部から内側水平方向の仮想延長線に接する位置又は上記仮想延長線に近接する位置又は上記仮想延長線に交差する位置の何れかの位置から始まっているものである上記第４又は第５に記載の段差カット可能な包装袋により構成される。
【００１８】
このように構成すると、仮に、小直線状誘導切目線により切断線をうまく誘導できず、切断線が小直線状誘導切目線より内側に、仮想延長線に沿って形成された場合において、切断線を上向誘導切目線又は下向誘導切目線の各他端の近傍より確実に凸状切目線又は凹状切目線に誘導することができる。
【００１９】
第７に、上記裏面側の上記易開封手段において、上記両裏面側小直線状誘導切目線は、上記切込部から上記仮想延長線に交差する方向に同一傾斜方向で形成されており、左側の上記裏面側小直線状誘導切目線はその内側端部が上記裏面側上向傾斜切目線に向かい、右側の上記裏面側小直線状誘導切目線はその内側端部が上記裏面側下向傾斜切目線に向かうように形成されたものである上記第１〜６の何れかに記載の段差カット可能な包装袋により構成される。
【００２０】
このように構成すると、上辺部の左側を把持して手前に引いた場合も、上辺部の右側を把持して手前に引いた場合も、何れの場合も切始めの切断線を、表面側は、上向傾斜切目線又は下向傾斜切目線に誘導することができ、裏面側は、裏面側上向傾斜切目線又は裏面側下向傾斜切目線に誘導することができ、良好に開封部に段差を形成することができる。
【００２１】
第８に、上記裏面側の上記易開封手段において、上記上部裏面側切目線の他端は、上記裏面側下向傾斜切目線に接触しておらず、上記他端の延長線上に上記裏面側下向傾斜切目線が位置するように形成され、上記下部裏面側切目線の他端は、上記裏面側上向傾斜切目線に接触しておらず、上記他端の延長線上に上記裏面側上向傾斜切目線が位置するように形成されたものである上記第１〜７の何れかに記載の段差カット可能な包装袋により構成される。
【００２２】
上記上部裏面側切目線の他端とは、他端（２０ａ’）をいう。上記下部裏面側切目線の他端とは、他端（２０ｂ’）をいう。このように構成すると、裏面側の切断線は、上部裏面側切目線の上記他端から裏面側下向傾斜切目線に誘導することができ、或いは、上記下向裏面側切目線の上記他端は、上記裏面側上向傾斜切目線に誘導することができるため、裏面側を円滑に開封することができる。
【００２３】
第９に、表面側の上記両小直線状誘導切目線と、裏面側の上記両裏面側小直線状誘導切目線は、形成位置又は形成方向が表裏で一致又は略一致しているものである上記第１〜８の何れかに記載の段差カット可能な包装袋により構成される。
【００２４】
形成位置が表裏で略一致しているとは、形成位置が表裏で多少ずれがある場合を含む。形成方向が表裏で略一致しているとは、何れも内側端部が上向傾斜切目線、裏面側上向傾斜切目線又は下向傾斜切目線、裏面側下向傾斜切目線に向かっていれば、表裏の傾斜角度、形成位置にずれがある場合を含む（図１２参照）。このように構成すると、表面側の切断線も裏面側の切断線も、表裏の小直線状誘導切目線又は裏面側小直線状誘導切目線により、適切に所定の切目線に誘導することができ、結果として開封部に確実に段差を形成することができる。
【００２５】
第１０に、上記包装袋の易開封手段の下側に再封手段が形成された上記第１〜９の何れか記載の段差カット可能な包装袋により構成される。
【００２６】
このように構成すると、再封可能な包装袋において、確実に段差を形成し得る易開封手段を実現することができる。
【発明の効果】
【００２７】
本発明によれば、例えば、表面側において、切断線が小直線状誘導切目線に合流しなかったとしても、切断線を下向誘導切目線又は上向誘導切目線によって切断線を適切な切目線に誘導することができるため、開封部に確実に段差を形成することができる。
【００２８】
また、包装袋の上辺部の左端から開封する場合も、包装袋の上辺部の右端から開封する場合も、切断線が、例えば表面側の小直線状誘導切目線からずれた場合に、下向誘導切目線又は上向誘導切目線によって、切断線を迅速に適切な切目線に誘導し得るため、小直線状誘導切目線からずれた場合でも確実に段差を形成し得る。
【００２９】
また、例えば、小直線状誘導切目線により切断線をうまく誘導できず、切断線が小直線状誘導切目線より内側に、仮想延長線に沿って形成された場合において、切断線を下向誘導切目線又は上向誘導切目線の各他端の近傍より確実に適切な切目線に誘導することができる。
【００３０】
また、上辺部の左側を把持して手前に引いた場合も、上辺部の右側を把持して手前に引いた場合も、何れの場合も切始めの切断線を、表面側は、上向傾斜切目線又は下向傾斜切目線に誘導することができ、裏面側は、裏面側上向傾斜切目線又は裏面側下向傾斜切目線に誘導することができ、良好に開封部に段差を形成することができる。
【００３１】
また、裏面側の切断線は、上部裏面側切目線の他端から裏面側下向傾斜切目線に誘導することができ、或いは、上記下部裏面側切目線の他端は、上記裏面側上向傾斜切目線に誘導することができるため、裏面側を円滑に開封することができる。
【００３２】
また、表面側の切断線も裏面側の切断線も、表裏の小直線状誘導切目線又は裏面側小直線状誘導切目線により、適切に所定の切目線に誘導することができ、結果として開封部に確実に段差を形成することができる。
【００３３】
また、再封可能な包装袋において、確実に段差を形成し得る易開封手段を実現することができる。
【図面の簡単な説明】
【００３４】
【図１】本発明に係る段差カット可能な包装袋の第１の実施形態の正面図である。
【図２】同上包装袋の背面図である。
【図３】同上包装袋の易開封手段近傍の拡大正面図である。
【図４】同上包装袋の左側の易開封手段近傍の拡大正面図である。
【図５】同上包装袋の右側の易開封手段近傍の拡大正面図である。
【図６】同上包装袋の開封途中の状態を示す同包装袋の正面図である。
【図７】同上包装袋の第２の実施形態の正面図である。
【図８】同上包装袋（第２の実施形態）の易開封手段近傍の拡大正面図である。
【図９】同上包装袋（第２の実施形態）の左側の易開封手段近傍の拡大正面図である。
【図１０】同上包装袋（第２の実施形態）の右側の易開封手段近傍の拡大正面図である。
【図１１】同上包装袋（第２の実施形態）の開封途中の状態を示す同包装袋の正面図である。
【図１２】同上包装袋の表面側の誘導切目線と裏面側の誘導切目線の位置関係を示す図であり、（ａ）は包装袋の左側の誘導切目線、（ｂ）は包装袋の右側の誘導切目線を示す。
【発明を実施するための形態】
【００３５】
以下、本発明に係る段差カット可能な包装袋について詳細に説明する。
【００３６】
（第１の実施形態）
図１、図２は、上記包装袋１を示すものであり、図１は包装袋の表面側積層フィルム２、図２は包装袋の裏面側積層フィルム３を示す。尚、表面側積層フィルム２のことを「表面側」、裏面側積層フィルム３のことを「裏面側」ともいう。
【００３７】
本発明の包装袋１は、表面側積層フィルム２と裏面側積層フィルム３の内側のシーラント層同士を対向し、周囲の所定幅を熱溶着することにより形成され、これにより、所定幅の左側熱溶着部４、右側熱溶着部５、上側熱溶着部６、下側熱溶着部７が形成され、内部空間に内容物が収納される。
【００３８】
尚、表面側積層フィルム２を図示した図１において、紙面に向かって左右を「左右方向」、左右方向を基準に上下を「上下方向」と定義する。図２の裏面側積層フィルム３は、表面側積層フィルム２をそのまま裏がえした状態を図示したものであるから、図２においては「左右方向」だけ図１と逆になる。また、左右外縁４ａ，５ａより包装袋の中央部方向を「内側」、中央部から左又は右の方向を「外側」と表現する。よって、表面側積層フィルム２においても、裏面側積層フィルム３においても、左外縁４ａから中央部方向を「内側」、右外縁５ａから中央部方向を「内側」という。
【００３９】
また、以下の説明において「切目線」とは、表面側積層フィルム２又は裏面側積層フィルム３の表面に、厚さ方向に貫通しない一定の深さで、レーザー加工により形成された切目線（所謂ハーフカット線）をいう。従って、この切目線は、表面側積層フィルム２又は裏面側積層フィルム３の表面に、貫通しない切目線として形成されており、この切目線に沿って包装袋の上辺部１’を例えば手前に引くことにより、当該切目線に沿って表面側積層フィルム２又は裏面側積層フィルム３を切断し得るものであり、所謂、開封用誘導線をいう。
【００４０】
上記包装袋１において、上下の中央部より、上部側に再封手段８が設けられると共に、上記再封手段８と上辺の熱溶着部（上側熱溶着部６）との間に易開封手段９が表裏に各々形成されている。
【００４１】
また、本発明の包装袋１において、易開封手段９より上側であって、開封時に包装袋から切り取られる片部分を上辺部１’という（図１参照）。
【００４２】
上記再封手段は、周知の構造であり、包装袋の表面側積層フィルム２の内側に左右方向全体に樹脂製凸条を固定し、裏面側積層フィルム３の内側に上記樹脂製凸条に対応する樹脂製凹溝部材を左右全体に固定し、上記樹脂製凸条を上記樹脂製凹溝に着脱自在とし、これにより開口部を再封止できるようにしたものである。尚、再封手段８は必ずしも必要としない場合もあるので、本発明の段差カット可能な包装袋には再封手段８が存在しないものも含まれる。
【００４３】
上記表面側積層フィルム２の上記易開封手段９は、以下の構造を有している。
まず、表面側積層フィルム２の易開封手段９は、１本の上部切目線１０と、該上部切目線１０より下方向に離間した１本の下部切目線１１とにより構成されている。
【００４４】
上記上部切目線１０は、上記表面側積層フィルム２において、当該包装袋１の左右の熱溶着部４，５の左右外縁４ａ，５ａの同一高さより始まり、左右熱溶着部４，５の幅Ｔより内側に入った位置における左右の上変曲部１２ａ，１２ｂまで、上方から下方に向けて下り傾斜直線状に形成された左右対称の下向傾斜切目線１３ａ，１３ｂと、上記左右の上変曲部１２ａ，１２ｂから、左右端部が左右の上記下向傾斜切目線１３ａ，１３ｂに連続し、中央部が上方に円弧状に膨れる凸状切目線１４とから構成される、全体として連続する１本の切目線により構成されている。
【００４５】
上記左右の下向傾斜切目線１３ａ，１３ｂは、左右熱溶着部４，５の左右外縁４ａ，５ａから内側方向に向けて下り傾斜直線状に形成されると共に、上記上変曲部１２ａ，１２ｂにおいて、下向き円弧状に変曲しつつ、さらに上向き円弧状の上記凸状切目線１４に滑らかに連続するように構成されている。
【００４６】
上記左右の上変曲部１２ａ，１２ｂは、左右の熱溶着部４，５の内縁４ｂ，５ｂからさらに内側に多少入った左右位置に形成されることが好ましい。
【００４７】
次に、上記下部切目線１１は、上記表面側積層フィルム２において、当該包装袋１の左右の熱溶着部４，５の左右外縁４ａ，５ａの同一高さより始まり、左右熱溶着部４，５の幅Ｔより内側に入った位置における左右の下変曲部１５ａ，１５ｂまで、下方から上方に向けて上り傾斜直線状に形成された左右対称の上向傾斜切目線１６ａ，１６ｂと、上記左右の下変曲部１５ａ，１５ｂから、左右端部が上記左右の上向傾斜切目線１６ａ，１６ｂに連続し、中央部が下方に円弧状に膨れる凹状切目線１７とから構成される、全体として連続する１本の切目線により構成されている。
【００４８】
上記左右の上向傾斜切目線１６ａ，１６ｂは、左右熱溶着部４，５の外縁４ａ，５ａから内側方向に向けて上向き傾斜直線状に形成されると共に、上記下変曲部１５ａ，１５ｂにおいて、上向き円弧状に変曲しつつ、さらに下向き円弧状の上記凹状切目線１７に滑らかに連続するように構成されている。
【００４９】
上記左右の下変曲部１５ａ，１５ｂは、左右の熱溶着部４，５の内縁４ｂ，５ｂからさらに内側に多少入った左右位置に形成されることが好ましい。そして、上記上変曲部１２ａ，１２ｂと上記下変曲部１５ａ，１５ｂとは、表面側積層フィルム２の左右位置において、同一位置に形成されている。何れにしても、上記下変曲部１５ａ，１５ｂは、上記上変曲部１２ａ，１２ｂと同様、何れも左右熱溶着部４，５の左右内縁４ｂ，５ｂに近い位置に各々設けることが好ましい。
【００５０】
そして、上記上部切目線１０と上記下部切目線１１とは、上下方向に離間して互いに接触しないように、上下対称に構成すると共に、上下切目線１０，１１の離間距離は、左側の上記上下変曲部１２ａと１５ａ間、上記右側の上記上下変曲部１２ｂと１５ｂ間が最少の離間距離Ｍとなるように構成している（図４、図５参照）。
【００５１】
具体的には、上記上変曲部１２ａ，１２ｂと下変曲部１５ａ，１５ｂとの離間距離Ｍは、左右何れも１ｍｍ〜５ｍｍ、好ましくは、２ｍｍ〜５ｍｍとする。勿論、左右の離間距離Ｍは同一とする。
【００５２】
左右のＩノッチ２１，２１は、上記下向傾斜切目線１３ａ，１３ｂの左右外縁４ａ，５ａ上の点１３ａ’，１３ｂ’（図３〜図５参照）と、上記上向傾斜切目線１６ａ，１６ｂの左右外縁４ａ，５ａ上の点１６ａ’，１６ｂ’（図３〜図５参照）との距離Ｑ（図４参照）の上下方向の中間位置（Ｑ／２＝Ｑ１の位置）（図４参照、右側も同じ）に設けられており、上記包装袋１の表面側積層フィルム２と裏面側積層フィルム３を貫通するように切り込み状に設けられている。このＩノッチ２１，２１は、開封時の切り込みのきっかけを作るものである。尚、仮想延長線Ｌは、表面と裏面において、Ｉノッチ２１，２１間を結ぶ仮想線であり、この仮想延長線Ｌを図１〜図６（第２の実施形態では図７〜図１１）に一点鎖線にて示す。この仮想延長線Ｌは、上記上下切目線１０，１１の上下の中心線を仮想的に示す線であり、あくまでも仮想線であって、ハーフカット線（切目線）ではない。
【００５３】
そして、上記上下部切目線１０，１１は上記仮想延長線Ｌを中心として、上下に等距離（左右外縁４ａ，５ａにおいては仮想延長線Ｌから上下方向に各々等距離Ｑ１，Ｑ１）を以って設けられている（図４、図５参照）。
【００５４】
さらに、表面側積層フィルム２においては、上記左側熱溶着部４内において、上記Ｉノッチ２１から内側方向への上記仮想延長線Ｌ上において、上記Ｉノッチ２１に近接して、該仮想延長線Ｌを横切る右下り傾斜の右下傾斜小直線状の誘導切目線２２ａが設けられている。この誘導切目線２２ａは、その内側端部２２ａ’（図４参照）が上向傾斜切目線１６ａに向かうように形成され、上記左外縁４ａのＩノッチ２１側から例えば内側方向に切り裂いたとき、上記内側端部２２ａ’が上向傾斜切目線１６ａに向かうようにして、切断線を上記上向傾斜切目線１６ａに誘導し（図４の破線の矢印Ｐ１参照）、表面側積層フィルム２側は下部切目線１１に沿って開封し得るようにするためである。尚、この誘導切目線２２ａは、内側端部２２ａ’が上記上向傾斜切目線１６ａに向かう方向であれば、上記仮想延長線Ｌを横切ることなく、外側端部２２ａ”が上記仮想延長線Ｌに接するか、仮想延長線Ｌに近接する位置になるように形成しても良い。
【００５５】
また、表面側積層フィルム２においては、上記右側熱溶着部５内において、上記Ｉノッチ２１から内側方向への上記仮想延長線Ｌ上に、上記誘導切目線２２ａと同じ方向の右下り傾斜及び上記誘導切目線２２ａと同一傾斜角度にて、上記仮想延長線Ｌを横切る右下り傾斜の右下傾斜小直線状の誘導切目線２２ｂが設けられている（図５参照）。この誘導切目線２２ｂは、その内側端部２２ｂ’（図５参照）が下向傾斜切目線１３ｂに向かうようにして、右外縁５ａの上記Ｉノッチ２１側から内側方向に切り裂いたとき、上記内側端部２２ｂ’が下向傾斜切目線１３ｂに向かうようにして、切断線を上記下向傾斜切目線１３ｂに誘導し（図５の破線の矢印Ｐ２参照）、表面側積層フィルム２側は上部切目線１０に沿って開封し得るようにするためである。尚、この誘導切目線２２ｂも、内側端部２２ｂ’が上記下向傾斜切目線１３ｂに向かう方向であれば、上記仮想延長線Ｌを横切ることなく、上記外側端部２２ｂ”が上記仮想延長線Ｌに接するか、仮想延長線Ｌに近接する位置になるように形成しても良い。
【００５６】
さらに、上記左側の上下変曲部１２ａ，１５ａより内側の上記上部切目線１０と上記下部切目線１１の上下方向の中間部の他端３０ａ”から始まり、一端３０ａ’が上記下部切目線１１の上記凹状切目線１７に接続された下り傾斜の下向誘導切目線３０ａが設けられ、上記右側の上下変曲部１２ｂ，１５ｂより内側の上記上部切目線１０と上記下部切目線１１の上下方向の中間部の他端３０ｂ”から始まり、一端３０ｂ’が上記上部切目線１０の上記凸状切目線１４に接続された上り傾斜の上向誘導切目線３０ｂが設けられている。
【００５７】
上記下向誘導切目線３０ａの始まりである他端３０ａ”は、上述のように、上部切目線１０と下部切目線１１の上下方向の中間部から始まっていれば、その中間部の概念には、他端３０ａ”が上記仮想延長線Ｌに接する場合、他端３０ａ”が上記仮想延長線Ｌに交差する場合、他端３０ａ”が仮想延長線Ｌに接することなく、該仮想延長線Ｌに近接する場合も含まれる。上記下向誘導切目線３０ｂの始まりである他端３０ｂ”は、上述のように、上部切目線１０と下部切目線１１の上下方向の中間部から始まっていれば、その中間部の概念には、他端３０ｂ”が上記仮想延長線Ｌに接する場合、他端３０ｂ”が上記仮想延長線Ｌに交差する場合、他端３０ｂ”が仮想延長線Ｌに接することなく、該仮想延長線Ｌに近接する場合も含まれる。
【００５８】
これら下向誘導切目線３０ａ、上向誘導切目線３０ｂは、Ｉノッチ２１からの切断線が、誘導切目線２２ａ又は誘導切目線２２ｂにて、上向傾斜切目線１６ａ又は下向傾斜切目線１３ｂにうまく誘導されなかった場合等に、仮想延長線Ｌに沿って進行してきた切断線を、他端３０ａ”又は他端３０ｂ”又はこれらの近傍で捉えて、凹状切目線１７又は凸状切目線１４に誘導するものであるから、上記他端３０ａ”又は他端３０ｂ”は、上記仮想延長線Ｌに交差するか、接するか、近接していれば良い。
【００５９】
また、下向誘導切目線３０ａの一端３０ａ’の位置は、下部切目線１１の左右方向の中央より左側の位置において、上記凹状切目線１７に接続されるように構成されている。これは、切断線が誘導切目線２２ａからずれた場合に、できるだけ早く切断線を下部切目線１１（凹状切目線１７）に誘導するためである。また、下向誘導切目線３０ａは、他端３０ａ”から下り傾斜で凹状切目線１７に接続されているのは、下向誘導切目線３０ａに沿って切断された場合、下り傾斜の方が、できるだけ開口部に段差が形成され易いからである。
【００６０】
また、上向誘導切目線３０ｂの一端３０ｂ’の位置は、上部切目線１０の左右方向の中央より右側の位置において、上記凸状切目線１４に接続されるように構成されている。これは、切断線が誘導切目線２２ｂからずれた場合に、できるだけ早く切断線を上部切目線１０（凸状切目線１４）に誘導するためである。また、上向誘導切目線３０ｂは、他端３０ｂ”から上り傾斜で凸状切目線１４に接続されているのは、上向誘導切目線３０ｂに沿って切断された場合、上り傾斜の方が、できるだけ開口部に段差が形成され易いからである。
【００６１】
上記裏面側積層フィルム３の上記易開封手段９は、以下のように構成されている（図２、図３参照）。まず、上記裏面側積層フィルム３の上記易開封手段９は、上記凸状切目線１４の最も上に位置する上端位置１４’（図３参照）と上記凹状切目線１７の最も下に位置する下端位置１７’との間に位置しており、中央部が左右の上記Ｉノッチ２１の形成位置よりも上側に位置する上部裏面側切目線２０ａと、中央部が左右の上記Ｉノッチ２１の形成位置よりも下側に位置する下部裏面側切目線２０ｂとから構成されている（図２、図３参照）。
【００６２】
即ち、図４に示すように、上記上部裏面側切目線２０ａの中央部（積層フィルム３の左右方向の中央部）は、上記Ｉノッチ２１の形成位置（切込部、即ちＩノッチ２１から延びる仮想中心線Ｌ）より距離Ｒ１（＜Ｑ１）だけ上側に位置しており、上記下部裏面側切目線２０ｂの中央部（積層フィルム３の左右方向の中央部）は、上記Ｉノッチ２１の形成位置（切込部、即ちＩノッチ２１から延びる仮想延長線Ｌ）より同じ距離Ｒ１（＜Ｑ１）だけ下側に位置している。
【００６３】
そして、上記上部裏面側切目線２０ａの左端部は、上記左の切込部（Ｉノッチ）２１の形成位置より下側位置の、上記表面側積層フィルム２の上記上向傾斜切目線１６ａの左外縁４ａ上の点１６ａ’（図３参照）と一致する点２９ａ’から始まり（図２参照）、上記表面側積層フィルム２の上記上向傾斜切目線１６ａと同一角度での上り傾斜直線状に、裏面側上向傾斜切目線２９ａが、表面側の上向傾斜切目線１６ａの傾斜角度と一致して上り傾斜で内側に向けて形成され、上記表面側の上向傾斜切目線１６ａを過ぎても、さらに上り傾斜直線状に形成（カット）され、上記表面側積層フィルム２側の上記上下変曲部１２ａ，１５ａを各々内側方向に横切って（図３，４，５参照）、上部裏面側切目線２０ａの一端の裏面側変曲部２８ａまで、下方から上方に向けて上り傾斜直線状に形成され、上記裏面側変曲部２８ａから水平直線状の上記上部裏面側切目線２０ａに接続されている（図２、図４参照）。よって、上記上部側の裏面側切目線は、上記上部裏面側切目線２０ａ、その左側に形成された裏面側上向傾斜切目線２９ａによって全体が連続する１本の切目線として形成されている。
【００６４】
上記裏面側変曲部２８ａは、図３に示すように、表面側の上下変曲部１２ａ，１５ａの位置より、より内側の位置に設けられおり、上記熱溶着部４の内縁４ｂに対して、上記上下変曲部１２ａ，１５ａよりも、さらに内側に入った位置に形成されている。そして、上記上部裏面側切目線２０ａの右側の他端２０ａ’は、後述の裏面側変曲部２８ｂの上下方向の位置には達しない位置（内縁５ｂより内側）で終了しており、その右側の他端２０ａ’の延長線上は、後述の裏面側下向傾斜切目線２９ｂに交差するように形成されている。
【００６５】
また、上記下部裏面側切目線２０ｂの右端部は、上記右の切込部（Ｉノッチ）２１の形成位置より上側位置の、上記表面側積層フィルム２の上記下向傾斜切目線１３ｂの右外縁５ａ上の点１３ｂ’（図３参照）と一致する点２９ｂ’から始まり、上記表面側積層フィルム２の上記下向傾斜切目線１３ｂと同一角度での下り傾斜直線状に、裏面側下向傾斜切目線２９ｂが、表面側の下向傾斜切目線１３ｂの傾斜角度と一致して下り傾斜で内側に向けて形成され、上記表面側の下向傾斜切目線１３ｂを過ぎても、さらに下り傾斜直線状に形成（カット）され、上記表面側積層フィルム２側の上記上下変曲部１２ｂ，１５ｂを各々内側方向に横切って（図３，４，５参照）、上記下部裏面側切目線２０ｂの一端の裏面側変曲部２８ｂまで、上方から下方に向けて下り傾斜直線状に形成され、上記裏面側変曲部２８ｂから水平直線状の上記下部裏面側切目線２０ｂに接続されている（図２、図４参照）。よって、上記下部側の裏面側切目線は、上記下部裏面側切目線２０ｂ、その右側に形成された裏面側下向傾斜切目線２９ｂによって全体が連続する１本の切目線として形成されている。
【００６６】
上記裏面側変曲部２８ｂは、図３に示すように、表面側の上下変曲部１２ｂ，１５ｂの位置より、より内側の位置に設けられおり、上記熱溶着部５の内縁５ｂに対して、上記上下変曲部１２ｂ，１５ｂよりも、さらに内側に入った位置に形成されている。そして、上記下部裏面側切目線２０ｂの左側の他端２０ｂ’は、上記裏面側変曲部２８ａの上下方向の位置には達しない内側位置（内縁４ｂより内側）で終了しており、その左側の他端２０ｂ’の延長線上は、上記裏面側上向傾斜切目線２９ａに交差するように形成されている。
【００６７】
また、上記裏面側上向傾斜切目線２９ａの内側の裏面側変曲部２８ａは、上記表面側の上記上部変曲部１２ａと上記凸状切目線１４との接続部に一致する位置に形成されている（図４，５参照）。そして、裏面側上向傾斜切目線２９ａは、表裏の積層フィルム２，３を重ねると、特に熱溶着部４の範囲内において、表面側の上向傾斜切目線１６ａに一致又は略一致するように構成されている（図３参照）。尚、略一致するとは、表面側の上向傾斜切目線１６ａと裏面側上向傾斜切目線２９ａとがその長さ、傾斜角度等において、多少のずれがある場合を含む概念である。
【００６８】
また、上記裏面側下向切目線２９ｂの内側の裏面側変曲部２８ｂは、上記表面側の上記下変曲部１５ｂと上記凹状切目線１７との接続部に一致する位置に形成されている（図４，５参照）。そして、裏面側下向傾斜切目線２９ｂは、表裏の積層フィルム２，３を重ねると、特に熱溶着部５の範囲内において、表面側の下向傾斜切目線１３ｂに一致又は略一致するように構成されている（図３参照）。尚、略一致するとは、表面側の下向傾斜切目線１３ｂと裏面側下向傾斜切目線２９ｂとがその長さ、傾斜角度等において、多少のずれがある場合を含む概念である。
【００６９】
このように裏面側の切目線は、上部裏面側切目線２０ａと左側の上記裏面側上向傾斜切目線２９ａとから構成される１本の切目線と、下部裏面側切目線２０ｂと右側の上記裏面側下向傾斜切目線２９ｂとから構成される１本の切目線とから構成されている。このように、裏面側は裏面側上向傾斜切目線２９ａと裏面側下向傾斜切目線２９ｂが左右に逆方向（段違い）に形成されている。また、上部裏面側切目線２０ａと下部裏面側切目線２０ｂは非接触である。
【００７０】
さらに、裏面側には、左側のＩノッチ２１から水平方向の上記仮想延長線Ｌを横切る右下り傾斜の右下傾斜小直線状の誘導切目線３１ａが設けられている。この誘導切目線３１ａは上記左外線４ａのＩノッチ２１側から例えば内側方向（図２では奥部方向）に切り裂いたとき、その内側端部３１ａ’から、切断線を上記裏面側上向傾斜切目線２９ａに誘導し（図４矢印Ｐ１）、裏面側積層フィルム３側は、上部切目線２０ａに沿って開封し得るようにするためである。
【００７１】
また、裏面側には、右側のＩノッチ２１から水平方向の上記仮想延長線Ｌを横切る右下り傾斜の右下傾斜小直線状の誘導切目線３１ｂが設けられている。この誘導切目線３１ｂは上記右外線５ａのＩノッチ２１側から例えば内側方向に切り裂いたとき、その内側端部３１ｂ’により切断線を上記裏面側下向傾斜切目線２９ｂに誘導し（図５矢印Ｐ２）、裏面側積層フィルム３側は、下部切目線２０ｂに沿って開封し得るようにするためである。
【００７２】
また、表面側の誘導切目線２２ａ，２２ｂの形成位置（傾斜角度及び長さ）は、裏面側の誘導切目線３１ａ，３１ｂの形成位置（傾斜角度及び長さ）と一致しており、表裏のフィルム２，３を重ねたとき、両者の形成位置は一致するように構成されることが好ましい（図３参照）。
【００７３】
また、この裏面側の誘導切目線３１ａは、内側端部３１ａ’が上記裏面側上向傾斜切目線２９ａに向かう方向であれば、上記仮想延長線Ｌを横切ることなく、外側端部３１ａ”が上記仮想延長線Ｌに接するように形成しても良い。同様に、上記裏面側の誘導切目線３１ｂは、内側端部３１ｂ’が上記裏面側下向傾斜切目線２９ｂに向かう方向であれば、上記仮想延長線Ｌを横切ることなく、外側端部３１ｂ”が上記仮想延長線Ｌに接するように形成しても良い。
【００７４】
また、表面側の誘導切目線２２ａと裏面側の誘導切目線３１ａは上述のように、形成位置又は形成方向が一致することが好ましいが、図１２（ａ）に示すように、各内側端部２２ａ’，３１ａ’が上向傾斜切目線１６ａ又は裏面側上向傾斜切目線２９ａに向かっていれば、形成位置、形成方向（傾斜角度）、長さ等が表裏で一致していなくても、交差していても良い。即ち、上記誘導切目線２２ａと、誘導切目線３１ａは、それらの形成位置又は形成方向が表裏で多少ずれがある場合、即ち、形成位置又は形成方向が完全に一致していなくても、表裏で略一致していれば良い。
【００７５】
ここで、形成位置又は形成方向が表裏で略一致しているとは、何れも内側端部２２ａ’，３１ａ’が上向傾斜切目線１６ａ、裏面側上向傾斜切目線２９ａに向かっていれば（図１２（ａ）矢印Ｐ１，Ｐ１参照）、表裏の傾斜角度、長さにずれがある場合を含む（図１２参照）。
【００７６】
また、表面側の誘導切目線２２ｂと裏面側の誘導切目線３１ｂは上述のように、形成位置又は形成方向が一致することが好ましいが、図１２（ｂ）に示すように、各内側端部２２ｂ’，３１ｂ’が下向傾斜切目線１３ｂ又は裏面側下向傾斜切目線２９ｂに向かっていれば、形成位置、形成方向（傾斜角度）、長さ等が表裏で一致していなくても、交差していても良い。即ち、上記誘導切目線２２ｂと、誘導切目線３１ｂは、それらの形成位置又は形成方向が表裏で多少ずれがある場合、即ち、形成位置又は形成方向が完全に一致していなくても、表裏で略一致していれば良い。
【００７７】
ここで、形成位置又は形成方向が表裏で略一致しているとは、何れも内側端部２２ｂ’，３１ｂ’が下向傾斜切目線１３ｂ、裏面側下向傾斜切目線２９ｂに向かっていれば（図１２（ｂ）矢印Ｐ２，Ｐ２参照）、表裏の傾斜角度、長さにずれがある場合を含む（図１２参照）。
【００７８】
そして、上記上部裏面側切目線２０ａの直線状の部分と、上記下部裏面側切目線２０ｂとの距離Ｎ（＝Ｒ１×２）は、例えば１ｍｍ〜５ｍｍ、好ましくは２ｍｍとする（図４参照）。
【００７９】
本発明に係る包装袋１は上述のように構成されるものであるから、次に、この包装袋１の開封動作について説明する（図６参照）。
【００８０】
（図１において、左の上辺部１’を手前側）
まず、上記右手で上記上辺部１’の左端部を以って、左端部から上記上辺部１’を手前側に引いて開封する場合を説明する（図６の方向）。
【００８１】
この場合、左手で包装袋１の下半部を保持し、右手で上記上辺部１’の左端部を以って手前に引くと、左端部のＩノッチ２１から引き裂きが始まり、表面側積層フィルム２では、左端部のＩノッチ２１からの切断線が直ちに誘導切目線２２ａに至り、該誘導切目線２２ａの内側端部２２ａ’に誘導されて切断線が上向傾斜切目線１６ａに至る（図４矢印Ｐ１参照）。そのまま上記上辺部１’を手前に引いていくと、上記上向傾斜切目線１６ａから下部変曲部１５ａを切断し、さらに、凹状切目線１７に沿って切断され、右側の下部変曲部１５ｂを通って上向傾斜切目線１６ｂを切断して、右外縁５ａ（点１６ｂ’）まで切断される。
【００８２】
一方、裏面側積層フィルム３では、図１の上記Ｉノッチ２１（左側）から手前側（図２では左側から奥側）に引かれるため、上記Ｉノッチ２１から始まった引き裂きは、直ちに、誘導切目線３１ａに至り、該誘導切目線３１ａの内側端部３１ａ’に誘導されて、下側の裏面側上向傾斜切目線２９ａに達し、該裏面側上向傾斜切目線２９ａに沿って切断され、裏面側変曲部２８ａを通って、そのまま上部裏面側切目線２０ａに沿って切断され、上部裏面側切目線２０ａの右側の他端２０ａ’に至り、その後は、裏面側積層フィルム３が右側方向に引き裂かれるので、切断線が裏面側下向傾斜切目線２９ｂに至り、そこから該裏面側下向傾斜切目線２９ｂに沿って右側の外縁５ａ（点２９ｂ’）まで切断される。
【００８３】
その結果、表面側積層フィルム２側は、その中央部は凹状切目線１７に沿って切断されるため、下向凹状切断線２３（図６参照）が形成され、裏面側積層フィルム３は、上側の上部裏面側切目線２０ａに沿って切断されるため、当該切目線２０ａに沿った直線状切断線２４（図６参照）が形成される。
【００８４】
このとき、上記下向凹状切断線２３の位置と、上記直線状切断線２４との間には、距離Ｒ２の段差が生じているので、段差カットが可能であり、その後、使用者は上記距離Ｒ２の段差を利用して、包装袋１を容易に開口することができる。
【００８５】
次に、表面側において、切断線が誘導用切目線２２ａに至らず、仮想延長線Ｌに沿って切断されたとしても、上下変曲部１２ａ，１５ａを過ぎた後、切断線は、下向誘導切目線３０ａの他端３０ａ”、又は、他端３０ａ”近傍に達し、上記下向誘導切目線３０ａに沿って下部切目線１１の凹状切目線１７に、一端３０ａ’から、包装袋１の中央より左側において合流するため（図６の破線の切断線２３’参照）、結果として、表面側は、下部切目線１１（凹状切目線１７）に沿って切断することができる。
【００８６】
よって、この場合においても、表面側は切断線２３’又は切断線２３に沿って下部切目線１１に沿って切断され、裏面側は裏面側切目線２０ａ（切断線２４）に沿って切断されるため、上記距離Ｒ２に沿って段差を形成することが可能となる。
【００８７】
このように、左の上辺部１’を手前に引いて切断する場合において、確実に開封部に段差を形成することができる。
【００８８】
（図１において、左の上辺部１’を奥側）
次に、左の上辺部１’を奥側に押して切断する場合について説明する。この場合、通常は、上記と同様に、表面側の切断線は、誘導切目線２２ａに誘導されて、下部切目線１１に沿って切断され、裏面側の切断線は、誘導切目線３１ａに誘導されて上部裏面側切目線２０ａに沿って切断され、結果として、距離Ｒ２の段差が形成され、左の上辺部１’を手前に引いて切断する上記の場合と同様に、距離Ｒ２の段差を形成することができる。
【００８９】
この場合、左の上辺部１’を奥側に押して切断する関係上、表面側において、誘導切目線２２ａの形成位置、切断線の切れ方によっては、表面側の切断線が誘導切目線２２ａにうまく誘導されない場合があり、例えば誘導切目線２２ａを避けて、より内側に仮想延長線Ｌに沿って切断されていく場合がある。
【００９０】
この場合においても、切断線は、下向誘導切目線３０ａの他端３０ａ”又は他端３０ａ”の近傍から当該下向誘導切目線３０ａに沿って切断され、下部切目線１１の凹状切目線１７に確実に誘導することができる。
【００９１】
従って、仮に、表面側において、切断線が、誘導用切目線２２ａに沿って上向傾斜切目線１６ａに誘導されない場合においても、下向誘導切目線３０ａによって確実に下部切目線１１に誘導することが可能となり、確実に段差Ｒ２を形成することができる。
【００９２】
（図１において、右の上辺部１’を手前側）
次に、図１において、左手で上記上辺部１’の右端部を持って、右端部から上記上辺部１’を手前側に引いて開封する場合を説明する。
【００９３】
この場合、表面側積層フィルム２側は、右手で包装袋１の下半部を保持し、左手で上記上辺部１’の右端部を以って手前側に引くと、左端部のＩノッチ２１から引き裂きが始まり、切断線は直ぐに右側の誘導切目線２２ｂに達し、該誘導切目線２２ｂの内側端部２２ｂ’に誘導されて切断線が下向傾斜切目線１３ｂに至る（図５矢印Ｐ２参照）。そのまま上記上辺部１’を手前側に引いていくと、上記下向傾斜切目線１３ｂから上部変曲部１２ｂを切断し、さらに、凸状切目線１４に沿って切断され、右側の上部変曲部１２ａを通って下向傾斜切目線１３ａを切断して、左外縁４ａ（点１３ａ’）まで切断される。従って、表面側は上部切目線１０に沿って切断することができる。
【００９４】
一方、裏面側積層フィルム３では、図１では、上記Ｉノッチ２１から手前側（図２では奥側）に引かれるため、上記Ｉノッチ２１から始まった引き裂きは、直ちに、誘導切目線３１ｂに至り、該誘導切目線３１ｂの内側端部３１ｂ’に誘導されて、上側の裏面側下向傾斜切目線２９ｂに達し、該裏面側下向傾斜切目線２９ｂに沿って切断され、裏面側変曲部２８ｂを通って、そのまま下部裏面側切目線２０ｂに沿って切断され、下部裏面側切目線２０ｂの右側の他端２０ｂ’に至り、その後は、裏面側積層フィルム３が左側方向に引き裂かれるので、裏面側上向傾斜切目線２９ａに至り、そこから該裏面側上向傾斜切目線２９ａに沿って左側の外縁４ａ（点２９ａ’）まで切断される。
【００９５】
その結果、表面側積層フィルム２側は、その中央部は凸状切目線１４に沿って切断されるため、上向凸状切断線２５が形成され（図３参照）、裏面側積層フィルム３は、下側の下部裏面側切目線２０ｂに沿って切断されるため、当該切目線２０ｂに沿った直線状切断線２６が形成される（図３参照）。従って、開封部には、上部切目線１０と裏面側下部切目線２０ｂとの間に距離Ｒ４の段差が形成されるため、その後、使用者は上記距離Ｒ４の段差を利用して包装袋１を容易に開口することができる。
【００９６】
次に、表面側において、切断線が誘導用切目線２２ｂに至らず、仮想延長線Ｌに沿って左側に切断されたとしても、上下変曲部１２ｂ，１５ｂを過ぎた後、切断線は、上向誘導切目線３０ｂの他端３０ｂ”、又は、他端３０ｂ”近傍に達し、上記上向誘導切目線３０ｂに沿って上部切目線１の凸状切目線１４に、一端３０ｂ’から、包装袋１の中央より右側において合流するため、結果として、表面側は、上部切目線１０に沿って切断することができる。
【００９７】
よって、この場合においても、表面側は切断線２５に沿って上部切目線１０に沿って切断され、裏面側は下部裏面側切目線２０ｂ（切断線２６）に沿って切断されるため、上記距離Ｒ４の段差を形成することが可能となる。
【００９８】
このように、右の上辺部１’を手前に引いて切断する場合において、確実に開封部に段差を形成することができる。
【００９９】
（図１において、右の上辺部１’を奥側）
次に、右の上辺部１’を奥側に押して切断する場合について説明する。この場合、通常は、上記と同様に、表面側の切断線は、誘導切目線２２ｂに誘導されて、上部切目線１０に沿って切断され、裏面側の切断線は、誘導切目線３１ｂに誘導されて下部裏面側切目線２０ｂに沿って切断され、結果として、距離Ｒ４の段差が形成され、右の上辺部１’を手前に引いて切断する上記の場合と同様に、距離Ｒ４の段差を形成することができる。
【０１００】
この場合、右の上辺部１’を奥側に押して切断する関係上、表面側において、誘導切目線２２ｂの形成位置、切断線の切れ方によっては、表面側の切断線が誘導切目線２２ｂにうまく誘導されない場合があり、例えば誘導切目線２２ｂを避けて、より内側に仮想延長線Ｌに沿って切断されていく場合がある。
【０１０１】
この場合においても、切断線は、上向誘導切目線３０ｂの他端３０ｂ”又は他端３０ｂ”の近傍から当該上向誘導切目線３０ｂに沿って切断され、上部切目線１０の凸状切目線１４に確実に誘導することができる。
【０１０２】
従って、仮に、表面側において、切断線が、誘導用切目線２２ｂに沿って下向傾斜切目線１３ｂに誘導されない場合においても、上向誘導切目線３０ｂによって確実に上部切目線１０に誘導することが可能となり、確実に距離Ｒ４の段差を形成することができる。
【０１０３】
（第２の実施形態）
次に、本発明の包装袋１の第２の実施形態を説明する（図７〜図１２参照）。
尚、この第２の実施形態において、上記第１の実施形態と同一部分、対応部分には同一符号を付して詳しい説明は便宜上省略する。
【０１０４】
この第２の実施形態では、裏面側積層フィルム３の易開封手段９の構成は、上記第１の実施形態の裏面側積層フィルム２の易開封手段９の構成（図２参照）と全く同一であるので、裏面側積層フィルム３の易開封手段９の説明は省略する。また、表面側積層フィルム２の易開封手段９の構成は第１の実施形態と一部相違するので、相違点について説明する。
【０１０５】
第１の実施形態と第２の実施形態の相違点は、上向誘導切目線３２ａと下向誘導切目線３２ｂの形成位置が異なるのみであり、その他の構成は同一である（図７、図８参照）。
【０１０６】
即ち、左側の上下変曲部１２ａ，１５ａより内側の上記上部切目線１０と上記下部切目線１１の上下方向の中間部の他端３２ａ”から始まり、一端３２ａ’が上記上部切目線１０の上記凸状切目線１４に接続された上り傾斜の上向誘導切目線３２ａが設けられ、上記右側の上下変曲部１２ｂ，１５ｂより内側の上記上部切目線１０と上記下部切目線１１の上下方向の中間部の他端３２ｂ”から始まり、一端３２ｂ’が上記下部切目線１１の上記凹状切目線１７に接続された下り傾斜の下向誘導切目線３２ｂが設けられている（図９、図１０参照）。
【０１０７】
上記上向誘導切目線３２ａの始まりである他端３２ａ”は、上述のように、上部切目線１０と下部切目線１１の上下方向の中間部から始まっていれば、その中間部の概念には、他端３２ａ”が上記仮想延長線Ｌに接する場合、他端３２ａ”が上記仮想延長線Ｌに交差する場合、他端３２ａ”が仮想延長線Ｌに接することなく、該仮想延長線Ｌに近接する場合も含まれる（図９参照）。上記下向誘導切目線３２ｂの始まりである他端３２ｂ”は、上述のように、上部切目線１０と下部切目線１１の上下方向の中間部から始まっていれば、その中間部の概念には、他端３２ｂ”が上記仮想延長線Ｌに接する場合、他端３２ｂ”が上記仮想延長線Ｌに交差する場合、他端３２ｂ”が仮想延長線Ｌに接することなく、該仮想延長線Ｌに近接する場合も含まれる（図１０参照）。
【０１０８】
これら上向誘導切目線３２ａ、下向誘導切目線３２ｂは、Ｉノッチ２１からの切断線が、誘導切目線２２ａ又は誘導切目線２２ｂにて、上向傾斜切目線１６ａ又は下向傾斜切目線１３ｂにうまく誘導されなかった場合に、仮想延長線Ｌに沿って進行してきた切断線を、他端３２ａ”又は他端３２ｂ”又はこれらの近傍で捉えて、凸状切目線１４又は凹状切目線１７に誘導するものであるから、上記他端３２ａ”又は他端３２ｂ”は、上記仮想延長線Ｌに交差するか、接するか、近接していれば良い（図９、図１０参照）。
【０１０９】
また、上向誘導切目線３２ａの一端３２ａ’の位置は、上部切目線１０の左右方向の中央より左側の位置において、上記凸状切目線１４に接続されるように構成されている。これは、切断線が誘導切目線２２ａからずれた場合に、できるだけ早く切断線を上部切目線１０に誘導するためである。また、上向誘導切目線３２ａは、他端３２ｂ”から上り傾斜で凸状切目線１４に接続されているのは、上向誘導切目線３２ａに沿って切断された場合、上り傾斜の方が、できるだけ開口部に段差が形成され易いからである（図９参照）。
【０１１０】
また、下向誘導切目線３２ｂの一端３２ｂ’の位置は、下部切目線１１の左右方向の中央より右側の位置において、上記凹状切目線１７に接続されるように構成されている。これは、切断線が誘導切目線２２ａからずれた場合に、できるだけ早く切断線を下部切目線１１に誘導するためである。また、下向誘導切目線３２ｂは、他端３２ｂ”から下り傾斜で凹状切目線１７に接続されているのは、下向誘導切目線３２ｂに沿って切断された場合、下り傾斜の方が、できるだけ開口部に段差が形成され易いからである（図１０参照）。
【０１１１】
第２の実施形態に係る包装袋１は上述のように構成されるものであるから、次に、この包装袋１の開封動作について説明する（図１１参照）。
【０１１２】
（図７において左の上辺部１’を手前側）
まず、上記右手で上記上辺部１’の左端部を以って、左端部から上記上辺部１’を手前側に引いて開封する場合を説明する（図１１の方向）。
【０１１３】
この場合、第１の実施形態と同様であり、左手で包装袋１の下半部を保持し、右手で上記上辺部１’の左端部を以って手前に引くと、左端部のＩノッチ２１から引き裂きが始まり、表面側積層フィルム２では、左端部のＩノッチ２１からの切断線が直ちに誘導切目線２２ａに至り、該誘導切目線２２ａの内側端部２２ａ’に誘導されて切断線が上向傾斜切目線１６ａに至る（図９矢印Ｐ１参照）。そのまま上記上辺部１’を手前に引いていくと、上記上向傾斜切目線１６ａから下変曲部１５ａを切断し、さらに、凹状切目線１７に沿って切断され、左側の下変曲部１５ｂを通って上向傾斜切目線１６ｂを切断して、右外縁５ａ（点１６ｂ’）まで切断される（図１０参照）。
【０１１４】
一方、裏面側積層フィルム３においても、第１の実施形態と同じであり、図７の上記Ｉノッチ２１（左側）から手前側（図２では左側から奥側）に引かれるため、上記Ｉノッチ２１から始まった引き裂きは、直ちに、誘導切目線３１ａに至り、該誘導切目線３１ａの内側端部３１ａ’に誘導されて、下側の裏面側上向傾斜切目線２９ａに達し、該裏面側上向傾斜切目線２９ａに沿って切断され、裏面側変曲部２８ａを通って、そのまま上部裏面側切目線２０ａに沿って切断され、上部裏面側切目線２０ａの右側の他端２０ａ’に至り、その後は、裏面側積層フィルム３が右側方向に引き裂かれるので、切断線が裏面側下向傾斜切目線２９ｂに至り、そこから該裏面側下向傾斜切目線２９ｂに沿って右側の外縁５ａ（点２９ｂ’）まで切断される（図１０参照）。
【０１１５】
その結果、表面側積層フィルム２側は、その中央部は凹状切目線１７に沿って切断されるため、下向凹状切断線２３（図１１参照）が形成され、裏面側積層フィルム３は、上側の上部裏面側切目線２０ａに沿って切断されるため、当該切目線２０ａに沿った直線状切断線２４（図１１参照）が形成される。
【０１１６】
このとき、上記下向凹状切断線２３の位置と、上記直線状切断線２４との間には、距離Ｒ２の段差が生じているので、段差カットが可能であり、その後、使用者は上記距離Ｒ２の段差を利用して、包装袋１を容易に開口することができる。
【０１１７】
次に、表面側において、切断線が誘導用切目線２２ａに至らず、仮想延長線Ｌに沿って切断されたとしても、上下変曲部１２ａ，１５ａを過ぎた後、切断線は、上向誘導切目線３２ａの他端３２ａ”、又は、他端３２ａ”近傍に達し、上記上向誘導切目線３２ａに沿って上部切目線１０の凸状切目線１４に、一端３２ａ’から、包装袋１の中央より右側において合流するため（図１１の破線の切断線２３”参照）、結果として、表面側は、上部切目線１０に沿って切断することができる。
【０１１８】
よって、この場合、表面側は切断線２３”に沿って上部切目線１０に沿って切断され、裏面側は上部裏面側切目線２０ａ（切断線２４）に沿って切断されるため、上記距離Ｒ２’に沿って段差を形成することが可能となる。
【０１１９】
このように、左の上辺部１’を手前に引いて切断する場合において、確実に開封部に段差を形成することができる。
【０１２０】
（図７において、左の上辺部１’を奥側）
次に、左の上辺部１’を奥側に押して切断する場合について説明する。この場合、通常は、上記と同様に、表面側の切断線は、誘導切目線２２ａに誘導されて、下部切目線１１に沿って切断され、裏面側の切断線は、誘導切目線３１ａに誘導されて上部裏面側切目線２０ａに沿って切断され、結果として、距離Ｒ２の段差が形成され（図１１参照）、左の上辺部１’を手前に引いて切断する上記の場合と同様に、距離Ｒ２の段差を形成することができる。
【０１２１】
この場合、左の上辺部１’を奥側に押して切断する関係上、表面側において、誘導切目線２２ａの形成位置、切断線の切れ方によっては、表面側の切断線が誘導切目線２２ａにうまく誘導されない場合があり、例えば誘導切目線２２ａを避けて、より内側に仮想延長線Ｌに沿って切断されていく場合がある。
【０１２２】
この場合においても、切断線は、上向誘導切目線３２ａの他端３２ａ”又は他端３２ａ”の近傍から当該上向誘導切目線３２ａに沿って切断され、上部切目線１０の凸状切目線１４に確実に誘導することができる。
【０１２３】
従って、仮に、表面側において、切断線が、誘導用切目線２２ａに沿って上向傾斜切目線１６ａに誘導されない場合においても、上向誘導切目線３２ａによって確実に上部切目線１０に誘導することが可能となり、確実に距離Ｒ２’（図１１参照）の段差を形成することができる。
【０１２４】
（図７において、右の上辺部１’を手前側）
次に、図７において、左手で上記上辺部１’の右端部を持って、右端部から上記上辺部１’を手前側に引いて開封する場合を説明する。
【０１２５】
この場合、表面側積層フィルム２側は、右手で包装袋１の下半部を保持し、左手で上記上辺部１’の右端部を以って手前側に引くと、左端部のＩノッチ２１から引き裂きが始まり、切断線は直ぐに右側の誘導切目線２２ｂに達し、該誘導切目線２２ｂの内側端部２２ｂ’に誘導されて切断線が下向傾斜切目線１３ｂに至る（図１０矢印Ｐ２参照）。そのまま上記上辺部１’を手前側に引いていくと、上記下向傾斜切目線１３ｂから上部変曲部１２ｂを切断し、さらに、凸状切目線１４に沿って切断され、左側の上部変曲部１２ａを通って下向傾斜切目線１３ａを切断して、左外縁４ａ（点１３ａ’）まで切断される。従って、表面側は上部切目線１０に沿って切断することができる。
【０１２６】
一方、裏面側積層フィルム３では、図７では、上記Ｉノッチ２１から手前側（図２では奥側）に引かれるため、上記Ｉノッチ２１から始まった引き裂きは、直ちに、誘導切目線３１ｂに至り、該誘導切目線３１ｂの内側端部３１ｂ’に誘導されて、上側の裏面側下向傾斜切目線２９ｂに達し、該裏面側下向傾斜切目線２９ｂに沿って切断され、裏面側変曲部２８ｂを通って、そのまま下部裏面側切目線２０ｂに沿って切断され、下部裏面側切目線２０ｂの左側の他端２０ｂ’に至り、その後は、裏面側積層フィルム３が左側方向に引き裂かれるので、裏面側上向傾斜切目線２９ａに至り、そこから該裏面側上向傾斜切目線２９ａに沿って左側の外縁４ａ（点２９ａ’）まで切断される（図９参照）。
【０１２７】
その結果、表面側積層フィルム２側は、その中央部は凸状切目線１４に沿って切断されるため、上向凸状切断線２５が形成され（図８参照）、裏面側積層フィルム３は、下側の下部裏面側切目線２０ｂに沿って切断されるため、当該切目線２０ｂに沿った直線状切断線２６が形成される（図８参照）。従って、開封部には、上部切目線１０と裏面側下部切目線２０ｂとの間に距離Ｒ４の段差が形成されるため（図８参照）、その後、使用者は上記距離Ｒ４の段差を利用して包装袋１を容易に開口することができる。
【０１２８】
次に、表面側において、切断線が誘導用切目線２２ｂに至らず、仮想延長線Ｌに沿って左側に切断されたとしても、上下変曲部１２ｂ，１５ｂを過ぎた後、切断線は、上向誘導切目線３２ｂの他端３２ｂ”、又は、他端３２ｂ”近傍に達し、上記下向誘導切目線３２ｂに沿って下部切目線１１の凹状切目線１７に、一端３２ｂ’から、包装袋１の中央より右側において合流するため、結果として、表面側は、下部切目線１１に沿って切断することができる。
【０１２９】
よって、この場合においても、図８に示すように、表面側は下部切目線１１（切断線２５’）に沿って切断され、裏面側は下部裏面側切目線２０ｂ（切断線２６）に沿って切断されるため、距離Ｒ４’の段差を形成することが可能となる（図８参照）。
【０１３０】
このように、右の上辺部１’を手前に引いて切断する場合において、確実に開封部に段差を形成することができる。
【０１３１】
（図７において、右の上辺部１’を奥側）
次に、右の上辺部１’を奥側に押して切断する場合について説明する。この場合、通常は、上記と同様に、表面側の切断線は、誘導切目線２２ｂに誘導されて、上部切目線１０に沿って切断され、裏面側の切断線は、誘導切目線３１ｂに誘導されて下部裏面側切目線２０ｂに沿って切断され、結果として、距離Ｒ４の段差が形成され、右の上辺部１’を手前に引いて切断する上記の場合と同様に、距離Ｒ４の段差を形成することができる。
【０１３２】
この場合、右の上辺部１’を奥側に押して切断する関係上、表面側において、誘導切目線２２ｂの形成位置、切断線の切れ方によっては、表面側の切断線が誘導切目線２２ｂにうまく誘導されない場合があり、誘導切目線２２ｂを避けて、より内側に仮想延長線Ｌに沿って切断されていく場合がある。
【０１３３】
この場合においても、切断線は、下向誘導切目線３２ｂの他端３２ｂ”又は他端３２ｂ”の近傍から当該下向誘導切目線３２ｂに沿って切断され、下部切目線１１の凹状切目線１７に確実に誘導することができる。
【０１３４】
従って、仮に、表面側において、切断線が、誘導用切目線２２ｂに沿って下向傾斜切目線１３ｂに誘導されない場合においても、下向誘導切目線３２ｂによって確実に下部切目線１１に誘導することが可能となり、確実に上記距離Ｒ４’（図８参照）の段差を形成することができる。
【０１３５】
本発明によれば、例えば、表面側において、切断線が小直線状誘導切目線２２ａ，２２ｂに合流しなかったとしても、切断線を下向誘導切目線３０ａ（３２ｂ）又は上向誘導切目線３０ｂ（３２ａ）によって切断線を適切な切目線に誘導することができるため、開封部に確実に段差を形成することができる。
【０１３６】
また、包装袋の上辺部１’の左端から開封する場合も、包装袋の上辺部１’の右端から開封する場合も、切断線が、例えば表面側の小直線状誘導切目線２２ａ，２２ｂからずれた場合に、下向誘導切目線３０ａ（３２ｂ）又は上向誘導切目線３０ｂ（３２ａ）によって、切断線を迅速に適切な切目線に誘導し得るため、小直線状誘導切目線からずれた場合でも確実に段差を形成し得る。
【０１３７】
また、例えば、小直線状誘導切目線により切断線をうまく誘導できず、切断線が小直線状誘導切目線より内側に、仮想延長線に沿って形成された場合において、切断線を下向誘導切目線３０ａ（３２ｂ）又は上向誘導切目線３０ｂ（３２ａ）の各他端の近傍より確実に適切な切目線に誘導することができる。
【０１３８】
また、上辺部１’の左側を把持して手前に引いた場合も、上辺部１’の右側を把持して手前に引いた場合も、何れの場合も切始めの切断線を、表面側は、上向傾斜切目線１６ａ又は下向傾斜切目線１３ｂに誘導することができ、裏面側は、裏面側上向傾斜切目線２９ａ又は裏面側下向傾斜切目線２９ｂに誘導することができ、良好に開封部に段差を形成することができる。
【０１３９】
また、裏面側の切断線は、上部裏面側切目線２０ａの他端２０ａ’は、裏面側下向傾斜切目線２９ｂに誘導することができ、或いは、上記下向裏面側切目線の他端２０ｂ’は、上記裏面側上向傾斜切目線２９ａに誘導することができるため、裏面側を円滑に開封することができる。
【０１４０】
また、表面側の切断線も裏面側の切断線も、表裏の小直線状誘導切目線２２ａ，２２ｂ又は裏面側小直線状誘導切目線３１ａ，３１ｂにより、適切に所定の切目線に誘導することができ、結果として開封部に確実に段差を形成することができる。
【０１４１】
また、再封可能な包装袋において、確実に段差を形成し得る易開封手段を実現することができる。
【産業上の利用可能性】
【０１４２】
本発明に係る段差カット可能な包装袋によれば、例えば再封可能な包装袋であって、食品、化粧品、医薬品等の包装袋として広く利用が可能である。
【符号の説明】
【０１４３】
１              包装袋
２              表面側積層フィルム
３              裏面側積層フィルム
４ａ            左外縁
５ａ            右外縁
８              再封手段
９              易開封手段
１０            上部切目線
１１            下部切目線
１２ａ，１２ｂ  上変曲部
１３ａ，１３ｂ  下向傾斜切目線
１４            凸状切目線
１５ａ，１５ｂ  下変曲部
１６ａ，１６ｂ  上向傾斜切目線
１７            凹状切目線
２０ａ          上部裏面側切目線
２０ａ’        他端
２０ｂ          下部裏面側切目線
２０ｂ’        他端
２１            Ｉノッチ（切込部）
２２ａ，２２ｂ  誘導切目線（小直線状誘導切目線）
２２ａ’，２２ｂ’  内側端部
２８ａ，２８ｂ  裏面側変曲部
２９ａ          裏面側上向傾斜切目線
２９ｂ          裏面側下向傾斜切目線
３０ａ          下向誘導切目線
３０ａ’        一端
３０ａ”        他端
３０ｂ          上向誘導切目線
３０ｂ’        一端
３０ｂ”        他端
３１ａ，３１ｂ  誘導切目線（裏面側小直線状誘導切目線）
３１ａ’，３１ｂ’  内側端部
３２ａ          上向誘導切目線
３２ａ’        一端
３２ａ”        他端
３２ｂ          下向誘導切目線
３２ｂ’        一端
３２ｂ”        他端
Ｌ              仮想延長線
【要約】
【課題】確実に段差を生じさせる段差カット可能な包装袋を提供する。
【解決手段】  表面側は上部切目線１０と下部切目線１１により構成され、切込部２１に近接して小直線状誘導切目線２２ａ，２２ｂが設けられ、左側の上下変曲部の中間部から始まり一端が下部切目線に接続された下向誘導切目線３０ａと、右側の上下変曲部の中間部から始まり一端が上部切目線に接続された上向誘導切目線３０ｂが設けられ、裏面側は上部裏面側切目線２０ａと下部裏面側切目線２０ｂが設けられ、上部裏面側切目線の一端には裏面側上向傾斜切目線２９ａが接続され、下部裏面側切目線の一端には裏面側下向傾斜切目線２９ｂが接続され、切込部に近接して裏面側小直線状誘導切目線３１ａ，３１ｂが設けられ、裏面側上向傾斜切目線と裏面側下向傾斜切目線は表面側の上向傾斜切目線と下向傾斜切目線に形成位置が表裏で略一致するように構成する。
【選択図】  図３【図１】
0006814869.tif 000002
【図２】
0006814869.tif 000003
【図３】
0006814869.tif 000004
【図４】
0006814869.tif 000005
【図５】
0006814869.tif 000006
【図６】
0006814869.tif 000007
【図７】
0006814869.tif 000008
【図８】
0006814869.tif 000009
【図９】
0006814869.tif 000010
【図１０】
0006814869.tif 000011
【図１１】
0006814869.tif 000012
【図１２】
0006814869.tif 000013